(57)【要約】  【課題】  コース斑が目立たず、しかも耐久性とソフト感に優れたゾッキパンティストッキングを提案する。  【解決手段】  ポリウレタン弾性糸を芯糸とし、これにポリアミド系合成繊維マルチフィラメント糸を被覆したカバリング糸により編成したパンティストッキングにおいて、二重被覆したカバリング糸（ＤＣＹ）にＺトルク又はＳトルクのいずれか一方のトルクを付与した糸を用い、これと反対方向のトルクをかけた一重被覆したカバリング糸（ＳＣＹ）との２種類だけの糸を使用して、１コース毎に交互に編成してなることを特徴とする。【特許請求の範囲】
【請求項１】
ポリウレタン弾性糸を芯糸とし、これにポリアミド系合成繊維マルチフィラメント糸を被覆したカバリング糸により編成したパンティストッキングにおいて、二重被覆したカバリング糸（ＤＣＹ）にＺトルク又はＳトルクのいずれか一方のトルクを付与した糸を用い、これと反対方向のトルクをかけた一重被覆したカバリング糸（ＳＣＹ）との２種類だけの糸を使用して、１コース毎に交互に編成してなることを特徴とするパンティストッキング。
【請求項２】
Ｚトルク又はＳトルクとしたＤＣＹは、ポリウレタン弾性糸にポリアミド系合成繊維マルチフィラメントを被覆する際に、下撚数と上撚数を調整して、被覆後にＺトルク又はＳトルクが残るように撚設計してなる請求項1記載のパンティストッキング。
【請求項３】
二重被覆するカバリング糸の単糸デニール（ＤＮ）と一重被覆するカバリング糸の単糸デニール（ＳＮ）は、０．７≧ＤＮ／ＳＮ≧０．４以上の糸構成とする請求項1又は２記載のパンティストッキング。
【請求項４】
二重被覆したカバリング糸の芯糸のデニール（ＤＵ）と一重被覆したカバリング糸の芯糸のデニール（ＳＵ）は、１．３≧ＤＵ／ＳＵ≧０．７以上の糸構成とする請求項1、２又は３記載のパンティストッキング。
【発明の詳細な説明】
【技術分野】
【０００１】
本発明は、ポリウレタン弾性糸を芯糸とし、これにポリアミド系合成繊維マルチフィラメント糸を被覆したカバリング糸により編成したゾッキパンティストッキングであって、特にコース斑の目立たない耐久性とソフト感を兼ね備えたパンティストッキングに関するものである。
【背景技術】
【０００２】
従来、芯糸がポリウレタン弾性糸で、ポリアミド系合成繊維マルチフィラメントで被覆したカバリング糸からなるパンティストッキングにおいて、使用するカバリング糸の組み合せは、次の３通りが知られている。
（１）ノントルク（撚りなし）の二重被覆したカバリング糸（ＤＣＹ）一種類のみで構成された生地を使用したもので、この商品は耐久性が抜群に良く、生地面は平坦であるが、肌触りが硬いという欠点がある。
（２）一重被覆したカバリング糸（ＳＣＹ）一種類のみで、１コース毎にＺトルク（Ｚ撚）糸とＳトルク（Ｓ撚）糸とを繰り返すようにして構成した生地で、この商品の生地面は平坦でソフトな肌触りであるが、芯糸のポリウレタン弾性糸が切れ易く、耐久性もやや劣る欠点がある。
（３）特許第３３８６３０９号公報に開示されており、これは、トルクがゼロ（ノントルク）となるように二重被覆したカバリング糸（ＤＣＹ）と、Ｓトルクに一重被覆したカバリング糸（ＳＣＹ）と、再び上記ゼロトルクのＤＣＹと、Ｚトルクの一重被覆したカバリング糸（ＳＣＹ）との３種類（４本）の糸で４コース１組みとして、これを繰り返すように構成した生地であり、この商品は耐久性とソフトさを備えているが、４コース１組みの繰り返しのためにコース斑（横縞が入ったボーダー状に見える段ムラ）が目立ち、生地面が粗くなって平坦ではないという欠点がある。（後記比較例参照）
【０００３】
【特許文献１】特許第３３８６３０９号公報
【発明の開示】
【発明が解決しようとする課題】
【０００４】
本発明は、ＳＣＹとＤＣＹの糸を使用するものの、上記（３）の従来技術の問題点であったコース斑が目立たず、しかも耐久性とソフト感に優れたゾッキパンティストッキングを提案するものである。
【課題を解決するための手段】
【０００５】
本発明では、レッグ部等の編成に当り、従来は必ずノントルクにして使用されていた二重被覆カバリング糸（ＤＣＹ）にＺトルク又はＳトルクのいずれか一方のトルクを付与した糸を用い、これと反対方向のトルクをかけた一重被覆カバリング糸（ＳＣＹ）との２種類だけの糸を使用して、１コース毎に交互に編成し、生地が逆方向のトルクで相殺されて斜行しないようにしたものである。
【０００６】
即ち、本発明はポリウレタン弾性糸を芯糸とし、これにポリアミド系合成繊維マルチフィラメント糸を被覆したカバリング糸により編成したパンティストッキングにおいて、二重被覆カバリング糸（ＤＣＹ）にＺトルク又はＳトルクのいずれか一方のトルクを付与した糸を用い、これと反対方向のトルクをかけた一重被覆カバリング糸（ＳＣＹ）との２種類だけの糸を使用して、１コース毎に交互に編成してなることを特徴とするパンティストッキングに関するものである。
【発明の効果】
【０００７】
本発明によるパンティストッキングは、生地面が平坦でコース斑も目立たず非常に綺麗であり、肌触りはソフトであるものの、後記実施例（表１）からも分るように平均着用可能日数も長くて耐久性にも優れている。
【発明を実施するための最良の形態】
【０００８】
本発明は、前記の通り、芯糸のポリウレタン弾性糸をポリアミド系合成繊維マルチフィラメントで被覆したカバリング糸により編成したいわゆるゾッキパンティストッキングにおいて、上記ポリアミド系合成繊維マルチフィラメントを二重被覆したカバリング糸（ＤＣＹ）と一重被覆したカバリング糸（ＳＣＹ）とを１コース毎に交互に編成してなり、繰り返し単位がＺトルクはＳトルクの一方にしたＤＣＹとこれと逆方向のトルクにしたＳＣＹとの２種類の糸だけで構成されていることを特徴とするものである。
【０００９】
Ｚトルク（又はＳトルク）としたＤＣＹは、ポリウレタン弾性糸にポリアミド系合成繊維マルチフィラメントを被覆する際に、下撚数と上撚数を調整して、被覆後にＺトルク（又はＳトルク）が残るように撚設計した二重被覆カバリング糸である。
【００１０】
また、Ｓトルク（Ｚトルク）のＳＣＹは、Ｓ撚（又はＺ撚）で芯糸に被覆した一重被覆カバリング糸であり、トルクの方向は上記ＤＣＹと逆方向のトルクとなるよう、例えばＺトルクのＤＣＹとＳトルクのＳＣＹとの組合せ、あるいはＳトルクのＤＣＹとＺトルクのＳＣＹとの組合せにより、それを交互に連続して編立てるものであり、このように編成した生地は逆方向のトルクで相殺されることとなり、生地が斜行することはない。
【００１１】
二重被覆するカバリング糸の単糸（巻糸）デニール（ＤＮ）と一重被覆するカバリング糸の単糸デニール（ＳＮ）は０．７≧ＤＮ／ＳＮ≧０．４以上の糸構成を採用することにより、得られるパンティストッキングの生地はコース斑の目立たない耐久性に優れてソフトな肌触りとなる。しかも、上記糸構成により、ＤＣＹとＳＣＹとのトータルデニール差が少なくて、トルクの方向が異なるＤＣＹとＳＣＹの２種類の糸だけの繰り返しで編成されるので、生地面は非常に綺麗であり、あたかもＳＣＹのみのＳ撚とＺ撚の２種類の糸の繰り返しで編成したような外観となる。
【００１２】
また、二重被覆したカバリング糸の芯糸のデニール（ＤＵ）と一重被覆したカバリング糸の芯糸のデニール（ＳＵ）は、１．３≧ＤＵ／ＳＵ≧０．７以上の式を満足するような糸構成とすることにより、二重被覆したカバリング糸のしっかり感と一重被覆したカバリング糸のソフト感を兼ね備えた耐久性に優れた着用感を得ることができる。
【実施例】
【００１３】
実施例
ＤＣＹ（二重被覆カバリング糸）は、
芯糸：ポリウレタン弾性糸  15Ｄ（デニール）
巻糸：ナイロン6フィラメント  7Ｄ/5Ｆ
カバリング条件
芯糸ドラフト：3.0倍
撚数：下撚2000T/M    撚方向  Ｓ方向
上撚1800T/M    撚方向  Ｚ方向
トルク：Ｚトルク（上撚のトルクが残ってＺ方向となる）
ＳＣＹ（一重被覆カバリング糸）は、
芯糸：ポリウレタン弾性糸  15Ｄ
巻糸：ナイロン6フィラメント  12Ｄ/7Ｆ
カバリング条件
芯糸ドラフト：3.0倍
撚数：1800T/M    撚方向  Ｓ方向
トルク：Ｓトルク
上記の２種類のカバリング糸をパンティストッキング編機（400本）にて、交互に繰返し編成したパンティストッキングを作成した。このパンティストッキングの肌触り、特徴、平均着用可能日数を表１に示す。
【００１４】
比較例
ＤＣＹは  芯糸：ポリウレタン弾性糸  15Ｄ
巻糸：ナイロン6フィラメント  7Ｄ/5Ｆ
カバリング条件
芯糸ドラフト：3.0倍
撚数：下撚2000T/M    撚方向  Ｓ方向
上撚1600T/M    撚方向  Ｚ方向
トルク：ノントルク
ＳＣＹの１つ目は、
芯糸：ポリウレタン弾性糸  15Ｄ
巻糸：ナイロン6フィラメント  12Ｄ/7Ｆ
カバリング条件
芯糸ドラフト：3.0倍
撚数：1800T/M  撚方向Ｓ方向
トルク：Ｓトルク
ＳＣＹの２つ目は、
芯糸：ポリウレタン弾性糸  15Ｄ
巻糸：ナイロン6フィラメント  12Ｄ/7Ｆ
カバリング条件
芯糸ドラフト：3.0倍
撚数：1800T/M  撚方向Ｚ方向
トルク：Ｚトルク
上記３種類のカバリング糸を用い、パンティストッキング編機（400本）にて、ＤＣＹ（ノントルク）−ＳＣＹ（Ｓトルク）−ＤＣＹ（ノントルク）−ＳＣＹ（Ｚトルク）の順で繰り返し編成したパンティストッキングを作成した。このパンティストッキングの肌触り、特徴、平均着用可能日数も併せて表１に示す。
【００１５】
また、前記した従来技術（１）のノントルクＤＣＹのみの編成、及び（２）のＺトルクのＳＣＹとＳトルクのＳＣＹの２種類を用いて編成したパンティストッキングについての結果も併せて表１に示す。
【００１６】
【表１】
2005105431.tif 000002
【手続補正書】
【提出日】平成15年9月30日(2003.9.30)
【手続補正１】
【補正対象書類名】明細書
【補正対象項目名】００１６
【補正方法】変更
【補正の内容】
【００１６】
【表１】
2005105431.tif 000003